(57)【要約】  【課題】難易度の高いマスタリング技術を用いずに作製可能であると共に、ユーザデータなどの記録用データ領域の減少を抑制して効率的にアドレス情報を記録することができる光情報記録媒体を提供する。  【解決手段】光情報記録媒体は、交互に設けられたグルーブおよびランドを有している。グルーブのアドレス情報は、グルーブのウォブルにより記録される。ランドのアドレス情報は、ランドの両側に設けられたグルーブのウォブルの組み合わせにより記録される。【選択図】図１２
2014002808.tif 000002
【特許請求の範囲】
【請求項１】
交互に設けられたグルーブおよびランドを有し、
上記グルーブのアドレス情報は、該グルーブのウォブルにより記録され、
上記ランドのアドレス情報は、該ランドの両側に設けられたグルーブのウォブルの組み合わせにより記録されている光情報記録媒体。
【請求項２】
上記ウォブルの組合せは、上記ウォブルの極性の組み合わせである請求項１に記載の光情報記録媒体。
【請求項３】
上記ランドのアドレス情報は、上記ウォブルの極性の組み合わせにより３値情報として記録されている請求項２に記載の光情報記録媒体。
【請求項４】
上記ウォブルは、第１ウォブルと第２ウォブルとを有し、
上記ウォブルの組み合わせは、上記第１ウォブルと上記第２ウォブルとの組み合わせである請求項１に記載の光情報記録媒体。
【請求項５】
上記第１ウォブルは、正の極性を有し、
上記第２ウォブルは、負の極性を有する請求項４に記載の光情報記録媒体。
【請求項６】
上記第１ウォブルは、基準ウォブルに対して第１方向に傾いており、
上記第２ウォブルは、基準ウォブルに対して上記第１方向とは反対となる第２方向に傾いている請求項４に記載の光情報記録媒体。
【請求項７】
上記ランドの両側に設けられたグルーブのウォブルは、同位相またはほぼ同位相である請求項１に記載の光情報記録媒体。
【請求項８】
上記グルーブは、該グルーブのアドレス情報が記録された第１領域と、該グルーブのアドレス情報が記録されていない第２領域とを有し、
上記ランドは、該ランドのアドレス情報が記録された第１領域と、該ランドのアドレス情報が記録されていない第２領域とを有し、
上記グルーブの第１領域と上記ランドの第２領域とが隣接して設けられると共に、上記グルーブの第２領域と上記ランドの第１領域とが隣接して設けられている請求項１に記載の光情報記録媒体。
【請求項９】
光情報記録媒体のランドまたはグルーブに対して光を照射することにより反射光を得る光学部と、
上記光学部により得られた反射光に基づき、上記ランドの両側に設けられたグルーブのウォブルの組み合わせにより記録されているアドレス信号を生成するアドレス信号生成部と、
上記アドレス信号生成部により生成されたアドレス信号からランドアドレス情報を取得するアドレス情報取得部と
を備える再生装置。
【請求項１０】
上記アドレス情報取得部は、上記アドレス信号を２つのしきい値と比較することにより３値情報を生成し、生成した３値情報をランドアドレス情報に変換する請求項９に記載の再生装置。
【発明の詳細な説明】
【技術分野】
【０００１】
本技術は、光情報記録媒体およびそれを再生するための再生装置に関する。詳しくは、交互に設けられたグルーブおよびランドを有する光情報記録媒体に関する。
【背景技術】
【０００２】
従来、レーザ光を用いて情報を記録または再生する光ディスクが実用化されている。光ディスクの種類としては、再生専用型、追記型および書き替え型がある。追記型および書き換え型の光ディスクでは、情報の記録のために、予め光ディスクの位置を示すアドレス情報が記録されている必要がある。
【０００３】
アドレス情報の記録方式としては、２種類の方式が知られている。その一つの方式は、アドレス情報をプリフォーマットピットとして記録する方式である。他の方式は、溝を形成する信号をアドレス情報によって変調（ウォブル）する方式である。なお、溝のことをグルーブと称し、グルーブにより形成されるトラックをグルーブトラックと称する。グルーブは、光ディスクを製造する時に、レーザ光によって照射される部分と定義され、隣接するグルーブ間に挟まれるエリアをランドと称し、ランドにより形成されるトラックをランドトラックと称する。
【０００４】
ところで、近年では、光ディスクの記録容量をさらに向上することが望まれている。記録容量の向上のためには、グルーブトラックおよびランドトラックの両方にデータを記録する方式（以下「ランド／グルーブ記録方式」と適宜称する。）が望ましい。ランド／グルーブ記録方式においては、グルーブトラックに対するアドレス情報は、カッティッグ時にレーザ光を偏向させることによって記録することができる。
【０００５】
従来からランド／グルーブ記録方式において、グルーブトラックおよびランドトラックの両方のアドレスを再生することを可能とする光ディスクが提案されている。特許文献１には以下の技術が開示されている。グルーブトラックにアドレスをウォブルによって記録する場合に、間欠的にアドレスを記録し、且つ隣のグルーブトラックとの間でアドレスの記録位置の位相を反転させる。このようにすると、ウォブルトラックを再生する時に元々記録されているアドレス情報が間欠的に再生され、ランドトラックを再生すると、隣接する両側のグルーブトラックのアドレスが交互に再生されることになる。したがって、グルーブ走査時およびランド走査時の何れにおいてもウォブル情報（アドレス情報）を得ることができる。
【０００６】
特許文献２、３には以下の技術が開示されている。ランドトラックおよびグルーブトラックのそれぞれをウォブルさせ、各トラックの片方の側壁にアドレス情報をウォブルによって記録する。さらに、ウォブルトラックのアドレス情報ブロックとグルーブトラックのアドレス情報ブロックとをトラック方向にずらして配置する。
【先行技術文献】
【特許文献】
【０００７】
【特許文献１】特開平９−２１９０２４号公報
【特許文献２】特開２００３−１７８４６４号公報
【特許文献３】特開２００６−２２８２９３号公報
【発明の概要】
【発明が解決しようとする課題】
【０００８】
本技術は、難易度の高いマスタリング技術を用いずに作製可能であると共に、ユーザデータなどの記録用データ領域の減少を抑制して効率的にアドレス情報を記録することができる光情報記録媒体およびそれを再生するための再生装置の提供を目的とする。
【課題を解決するための手段】
【０００９】
上述の課題を解決するために、第１の技術は、
交互に設けられたグルーブおよびランドを有し、
グルーブのアドレス情報は、該グルーブのウォブルにより記録され、
ランドのアドレス情報は、該ランドの両側に設けられたグルーブのウォブルの組み合わせにより記録されている光情報記録媒体である。
【００１０】
第２の技術は、
光情報記録媒体のランドまたはグルーブに対して光を照射することにより反射光を得る光学部と、
光学部により得られた反射光に基づき、ランドの両側に設けられたグルーブのウォブルの組み合わせにより記録されているアドレス信号を生成するアドレス信号生成部と、
アドレス信号生成部により生成されたアドレス信号からランドアドレス情報を取得するアドレス情報取得部と
を備える再生装置である。
【００１１】
本技術では、グルーブのアドレス情報およびランドのアドレス情報は、グルーブのウォブルにより記録される。したがって、マスタリングの際には、１ビーム露光によりグルーブのアドレス情報およびランドのアドレス情報を記録することができる。また、アドレス情報をプリフォーマットピットとして記録せずに済むため、ユーザデータなどの記録用データ領域の減少を抑制することができる。
【発明の効果】
【００１２】
以上説明したように、本技術によれば、難易度の高いマスタリング技術を用いずに作製可能であると共に、ユーザデータなどの記録用データ領域の減少を抑制して効率的にアドレス情報を記録することができる。
【図面の簡単な説明】
【００１３】
【図１】図１Ａは、本技術の一実施形態に係る光情報記録媒体の構成の一例を示す概略図である。図１Ｂは、図１Ａに示した光情報記録媒体の一部を拡大して表す概略図である。
【図２】図２は、ＢＤフォーマットのアドレスデータの説明のための略線図である。
【図３】図３は、ＢＤフォーマットのＡＤＩＰユニットの説明のための略線図である。
【図４】図４は、ＢＤフォーマットのＡＤＩＰワードのデータ構造の説明のための略線図である。
【図５】図５は、ＭＳＫの説明のための波形図である。
【図６】図６Ａ、図６Ｂは、ＳＴＷの説明のための波形図である。
【図７】図７Ａ、図７Ｂは、ＳＴＷの説明のための波形図である。
【図８】図８は、１ＲＵＢのアドレスエリアの一部を抽出して示した略線図である。
【図９】図９Ａは、グルーブアドレスエリアに記録されたＳＴＷ信号の波形を示す略線図である。図９Ｂは、グルーブアドレスエリアに記録されたＳＴＷ信号の波形を示す略線図である。
【図１０】図１０Ａは、ＳＴＷ信号の第１の組合せを示す略線図である。図１０Ｂは、ＳＴＷ信号の第２の組合せを示す略線図である。
【図１１】図１１Ａは、ＳＴＷ信号の第３の組合せを示す略線図である。図１１Ｂは、ＳＴＷ信号の第４の組合せを示す略線図である。
【図１２】図１２は、グルーブアドレスエリアおよびランドアドレスエリアの一例を示す略線図である。
【図１３】図１３は、アドレスデータの記録方法の一例を説明するための略線図である。
【図１４】図１４は、アドレスデータの再生方法の一例を説明するための略線図である。
【図１５】図１５は、グルーブアドレスエリアとランドアドレスエリアとの配置の一例を示す略線図である。
【図１６】図１６は、本技術の一実施形態に係る再生装置の構成の一例を示すブロック図である。
【図１７】図１７は、ＡＤＩＰデコーダの構成の一例を示すブロック図である。
【図１８】図１８は、グルーブ再生時のアドレスデコード処理の一例を説明するためのフローチャートである。
【図１９】図１９は、ランド再生時のアドレスデコード処理の一例を説明するためのフローチャートである。
【図２０】図２０は、ＡＤＩＰデコーダの変形例を示すブロック図である。
【発明を実施するための形態】
【００１４】
本発明の実施形態について図面を参照しながら以下の順序で説明する。
１．光情報記録媒体の構成
２．光情報記録媒体のフォーマット
３．光情報記録媒体のアドレス情報
４．再生装置の構成
５．再生装置の動作
６．変形例
【００１５】
［１．光情報記録媒体の構成］
図１Ａは、本技術の一実施形態に係る光情報記録媒体の構成の一例を示す概略図である。図１Ｂは、図１Ａに示した光情報記録媒体の一部を拡大して表す概略図である。光情報記録媒体１は、いわゆる追記型および書き換え型の光ディスクであり、中央に開口（センターホール）が形成された円環形状を有している。光情報記録媒体１は、基板表面に交互に設けられたランドＬおよびグルーブＧを有している。ランドＬおよびグルーブＧは、例えば、スパイラル状または同心円状を有している。グルーブＧは、線速度の安定化やアドレス情報付加などのためにウォブル（蛇行）されている。
【００１６】
［２．光情報記録媒体のフォーマット］
本技術の一実施形態に係る光情報記録媒体１では、アドレス情報のフォーマットなどをＢＤ（Blu-ray Disc（登録商標））フォーマットに準じるものとすることが可能である。このことによって、実用化されている高密度光ディスクであるＢＤの技術の多くの部分を利用できる。したがって、ＢＤフォーマットにおけるアドレス情報について以下に説明する。
【００１７】
図２に示すように、書き込まれるメインデータは、ＲＵＢ(Recording Unit Block)の系列（ＲＵＢn+0、ＲＵＢn+1、ＲＵＢn+2、ＲＵＢn+3、・・・・）である。ＲＵＢは、メインデータ（記録再生データ）を記録する単位であり、所定の長さ例えば６４ｋバイトとされている。１ＲＵＢ毎に３個のＡＤＩＰ(Address In Pregroove)ワードＡＤＩＰ０、ＡＤＩＰ１、ＡＤＩＰ２が割り当てられている。ＡＤＩＰ０、ＡＤＩＰ１、ＡＤＩＰ２は、互いに同一のアドレス情報を有している。
【００１８】
さらに、一つのＡＤＩＰワードには、８３（ユニットナンバー０−８２）のＡＤＩＰユニットが含まれている。一つのＡＤＩＰワード中には、２４ビットのアドレス情報、１２ビットの補助データ、リファレンス領域、エラー訂正コードなどが格納されている。これらの情報は、８３ＡＤＩＰユニット中の例えば６０ＡＤＩＰユニットを使用して表されている。
【００１９】
図３に示すように、合計５６個のウォブルのかたまりがＡＤＩＰユニットとされ、このＡＤＩＰユニットで「０」または「１」の１ビットあるいは同期情報あるいは参照ユニットあるいはモノトーンユニットが表現される。１ウォブルは、例えば基本ウォブル波形（cos(2πft)）の１周期である。したがって、１ＡＤＩＰワードが（８３×５６）ウォブルからなる。図３には、ＡＤＩＰユニットの８種類（モノトーンユニット、参照ユニット、４種類の同期ユニットおよびデータの「０」および「１」をそれぞれ表す２種類のデータユニット）が示されている。なお、図３では、スペース上の制約から３５個のウォブルのかたまりが示されている。
【００２０】
図３に示すように、５６ウォブルからなるＡＤＩＰユニットに対して０から５５のウォブル番号を付加して区別すると、例えばウォブル番号が０から２までの区間などは、ＭＳＫ(Minimum Shift Keying)で変調され、リファレンスユニットとデータユニットのウォブル番号１８から５４までがＳＴＷ(Saw Tooth Wobble)で変調される。変調されていないモノトーン・ウォブルは、所定周波数(cos(2πft))の基本波でウォブルする。
【００２１】
ＡＤＩＰワードは、図４に示すようなデータ構造を有する。図４におけるＡＤＩＰユニットタイプが図３におけるＡＤＩＰユニットの種類と対応している。一つのＡＤＩＰワードには、６０ビットのデータが含まれている。
【００２２】
ＭＳＫは、図５に示すように、３個のウォブルによって構成されている。前後のウォブルの周波数が基本波の１．５倍とれているので、中心のウォブルの波形がＭＳＫでない部分に対して極性が反転されている。各ＡＤＩＰユニットの先頭（０−２番目のウォブル）に対して配置され、ＡＤＩＰユニットの先頭位置を検出するために使用される。
【００２３】
さらに、図３に示すように、データ０のＡＤＩＰユニットの先頭から１４〜１６番目のウォブルの位置にＭＳＫが配置され、データ１のＡＤＩＰユニットの先頭から１２〜１４番目のウォブルの位置にＭＳＫが配置される。このように、ＭＳＫの位置によって、データの「０」と「１」とが表されている。
【００２４】
データ「０」のＡＤＩＰユニットにおいて、ＭＳＫが０とされると共に、先頭から１８〜５５番目のウォブルの区間に「０」を表すＳＴＷが配置される。データ１のＡＤＩＰユニットにおいて、ＭＳＫが１とされると共に、先頭から１８〜５５番目のウォブルの区間に「１」を表すＳＴＷが配置される。
【００２５】
ＳＴＷ方式は、基本波(cos(2πft))に対して２次高調波(sin(2π2ft))を加算または減算することによって、のこぎり歯に似た変調波形を生成するものである。２次高調波の振幅は、基本波形の１／４程度の小さなものとされている。データの「０」または「１」によって、加算および減算の一方が選択されるので、変調波形が異なったものとされる。参照ユニットとデータユニットのウォブル番号が１８〜５４の区間に繰り返して記録されている。
【００２６】
このように２種類の方式を使用するのは、各方式の短所を補うことを可能とするためである。ＭＳＫ方式では、ＡＤＩＰユニットの先頭の３個のウォブルを変調することによって１ビットが記録されるので、再生時のデータの位置を決める基準として使うことができる。一方、ＳＴＷ方式は、微小な波形変化として、広い範囲にわたって繰り返し記録されており、再生時には、再生信号を積分して「０」または「１」を判別している。したがって、再生信号をデータの区切りを検出するための情報として使用することが難しい。しかしながら、局所的な記録方式であるＭＳＫ方式は、ディスク上の傷、ゴミなどに起因する欠陥の影響を受けやすい。ＳＴＷ方式は、より長い期間にわたって記録されるので、欠陥の影響を受けにくい利点がある。
【００２７】
図６および図７を参照してＳＴＷ方式の変調ウォブル信号についてより詳細に説明する。図６および図７において、横軸が時間軸を示し、基本ウォブル波形の１周期（すなわち、１ウォブル）が図示され、縦軸が正規化された振幅を示す。図６Ａは、データc(n)が「１」の場合の波形を示し、図７Ａは、データc(n)が「０」の場合の波形を示す。
【００２８】
図６Ａおよび図７Ａにおいて、破線で示す波形が基本ウォブル波形Ｓ０（＝cos(２πft)である。c(n)＝「１」の場合では、基本ウォブル波形Ｓ０に対して２倍の周波数のsin信号が加算されることによって変調された波形Ｓ１が形成される。すなわち、Ｓ１＝Ａcos(２πft)＋ａsin(２π2ft)である。Ａ＞ａの関係とされ、例えばＡ＝１、ａ＝０．２とされる。この変調ウォブル波形Ｓ１は、時間方向に対して立ち上がり（ディスクの径方向では、ディスクの外側方向）が基本ウォブル波形Ｓ０に比して緩やかで、立ち下がり（ディスクの径方向では、ディスクの内側方向）が基本ウォブル波形Ｓ０に比して急峻となるように変調された波形である。
【００２９】
図７Ａに示すように、ｃ(ｎ)＝「０」の場合では、基本ウォブル波形Ｓ０に対して２倍の周波数のsin信号が減算されることによって変調された波形Ｓ２が形成される。すなわち、Ｓ２＝Ａcos(２πft)−ａsin(２π2ft)である。この変調ウォブル波形Ｓ２は、時間方向に対して立ち上がり（ディスクの外側方向）が基本ウォブル波形Ｓ０に比して急峻で、立ち下がり（ディスクの内側方向）が基本ウォブル波形Ｓ０に比して緩やかとなるように変調された波形である。変調ウォブル波形Ｓ１およびＳ２の何れも、ゼロクロス点が基本ウォブル波形と同一の位相となり、再生側におけるクロックを容易に抽出できるようになされている。
【００３０】
図６Ａおよび図７Ａにおいて、波形Ｓ３およびＳ４のそれぞれは、再生側の処理において使用される周波数が基本波の２倍の周波数のsin信号（sin(２π2ft)）を再生変調ウォブル信号に乗じたものを示す。すなわち、再生変調ウォブル波形Ｓ１×sin(２π2ft)によって波形Ｓ３が得られ、再生変調ウォブル波形Ｓ２×sin(２π2ft)によって波形Ｓ４が得られる。
【００３１】
再生側では、図６Ｂおよび図７Ｂにそれぞれ示すように、波形Ｓ３およびＳ４のそれぞれを１ウォブル周期にわたって積分（積算）することによって積分値ΣＳ３およびΣＳ４が得られる。１ウォブル周期を経過した時点の積分値ΣＳ３が正の値ｖ１となる。一方、１ウォブル周期を経過した時点の積分値ΣＳ４が負の値ｖ０となる。積分値は、例えばｖ１＝＋１、ｖ０＝−１と扱われる。
【００３２】
ＳＴＷ変調されているのはウォブル１８から５４までの３７ウォブルであるので、このＳＴＷ変調区間のウォブルが全て＋１であれば、３７ウォブルの積分結果として＋３７が得られ、全て−１であれば、３７ウォブルの積分結果として−３７が得られる。各ウォブルの積分値として求められた再生チップ系列に対して記録時に使用されたのと同一の符号系列が乗算され、その結果を３７ウォブル積分した結果に基づいてデータの１ビット（「１」／「０」）が判別される。
【００３３】
［３．光情報記録媒体のアドレス情報］
（アドレス形式）
図８は、１ＲＵＢに含まれるアドレスエリアの一部を抽出して示した略線図である。１ＲＵＢ毎に３個のＡＤＩＰワード（ＡＤＩＰ０、ＡＤＩＰ１、ＡＤＩＰ２）が割り当てられている。本実施形態では、一般的なＢＤマスタリング装置に大きな変更なくマスタリングが可能なように、グルーブのウォブル変調のみでランドアドレスも形成する。
【００３４】
図８に示すように、アドレスエリアは、グルーブアドレスエリアとランドアドレスエリアとの２種類のエリアに分けられる。グルーブアドレスエリアとランドアドレスエリアとが、例えば、光情報記録媒体１の周方向に交互に設けられている。グルーブアドレスエリアのグルーブ部分ＲＧ１には、有効なグルーブアドレス情報が記録されているのに対して、グルーブアドレスエリアのランド部分ＲＬ０には、無効なランドアドレス情報が記録されている。一方、ランドアドレスエリアのランド部分ＲＬ１には、有効なランドアドレス情報が記録されているのに対して、ランドアドレスエリアのグルーブ部分ＲＧ０には、無効なグルーブアドレス情報が記録されている。
【００３５】
グルーブアドレス情報は、グルーブのウォブルにより記録されている。より具体的には、グルーブアドレス情報は、極性が異なる２種のＳＴＷ信号によりグルーブを変調することにより、２値情報として記録されている。一方、ランドアドレス情報は、ランドの両側に設けられたグルーブのウォブルの極性の組み合わせにより記録されている。より具体的には、ランドアドレス情報は、ランドの両側に隣接して設けられたグルーブをそれぞれ、極性が異なる２種のＳＴＷ信号により変調することにより、３値情報として記録されている。ランドを介して隣接するグルーブのＳＴＷは、同位相またはほぼ同位相となるように設定されている。すなわち、本実施形態に係る光情報記録媒体１のフォーマットとしては、ＣＡＶまたはＺｏｎｅＣＡＶフォーマットが採用されている。
【００３６】
ＳＴＷには、負の極性を有するＳＴＷ（第１ウォブル）と、正の極性を有するＳＴＷ（第２ウォブル）とがある。ランドの両側に設けられたグルーブのＳＴＷの極性の組み合わせにより、ランドアドレス情報が３値情報として記録される。
【００３７】
ランドアドレス情報をランドの両側に隣接して設けられたグルーブのＳＴＷの組み合わせにより記録することで、以下の利点を得ることができる。ランドトラックのトラック幅の変動を低減することができる。また、ＳＴＷ信号の頂点のシフト方向によりアドレス情報を判別することができる。したがって、ランドアドレス情報の読み取りエラーを低減することができる。
【００３８】
（グルーブアドレスエリアのアドレス情報）
ＳＴＷ信号の波形は、のこぎりの歯状の波形であり、ＳＴＷ信号を構成する単位波形は緩い傾斜と急峻な傾斜とを有している。ＳＴＷ信号の波形には、２種類の波形がある。グルーブアドレスエリアのグルーブアドレス情報は、２種類のＳＴＷ信号Ｓ０、Ｓ１の波形により２値情報として記録されている。
【００３９】
図９Ａは、グルーブアドレスエリアに記録されたＳＴＷ信号Ｓ１の波形を示す略線図である。ＳＴＷ信号Ｓ１は、基本ウォブル信号Ｓ０に対して時間の進行方向とは反対の方向（第１の方向）に傾いている。具体的には、ＳＴＷ信号Ｓ１の波形は、図９Ａに示すように、基本ウォブル信号Ｓ０に比して、光情報記録媒体１の外周側に向かって急峻に立ち上がり、光情報記録媒体１の中心側へ緩い傾斜で戻ってくる波形である。ＳＴＷ信号Ｓ１は、負の極性を有する信号であり、２値情報のうちのデータ「−１」を表す。このデータ「−１」は、再生装置側でグルーブアドレス情報「０」に変換される。
【００４０】
ＳＴＷ信号Ｓ１がグルーブアドレスエリアに記録されている場合には、再生装置は、例えば以下のようにしてグルーブアドレス情報をデコードする。まず、グルーブアドレスエリアに記録されたＳＴＷ信号Ｓ１を読み取り、そのＳＴＷ信号Ｓ１から２値情報「−１」を復号する。次に、復号した２値情報「−１」をグルーブアドレス情報「０」に変換する。
【００４１】
図９Ｂは、グルーブアドレスエリアに記録されたＳＴＷ信号Ｓ２の波形を示す略線図である。ＳＴＷ信号Ｓ２は、基本ウォブル信号Ｓ０に対して時間の進行方向（第２の方向）に傾いている。具体的には、ＳＴＷ信号Ｓ２の波形は、図９Ｂに示すように、基本ウォブル信号Ｓ０に比して、光情報記録媒体１の外周側に向かって緩い傾斜で立ち上がり、光情報記録媒体１の中心側へ急峻に戻ってくる波形である。ＳＴＷ信号Ｓ２は、正の極性を示す信号であり、２値情報のうちのデータ「＋１」を表す。このデータ「＋１」は、再生装置側でグルーブアドレス情報「１」に変換される。
【００４２】
ＳＴＷ信号Ｓ２がグルーブアドレスエリアに記録されている場合には、再生装置は、例えば以下のようにしてグルーブアドレス情報をデコードする。まず、グルーブアドレスエリアに記録されたＳＴＷ信号Ｓ２を読み取り、そのＳＴＷ信号Ｓ２から２値情報「＋１」を復号する。次に、復号した２値情報「＋１」をグルーブアドレス情報「１」に変換する。
【００４３】
（ランドアドレスエリアのアドレス情報）
ランドアドレスエリアのアドレス情報は、ランドアドレスエリアの両側のグルーブエリアに記録されたＳＴＷ信号の組合せ（関係）により３値情報として記録されている。ＳＴＷ信号の組合せには、４種類の組合せがある。
【００４４】
図１０Ａは、ＳＴＷ信号の第１の組合せを示す略線図である。ランドアドレスエリアの内周側の隣接グルーブエリアには、負の極性を有するＳＴＷ信号Ｓ１が記録されている。一方、ランドアドレスエリアの外周側の隣接グルーブエリアには、負の極性を有するＳＴＷ信号Ｓ１が記録されている。この場合には、ランドアドレスエリアには、内周側の隣接グルーブエリアのＳＴＷ信号Ｓ１と外周側の隣接グルーブエリアのＳＴＷ信号Ｓ１との組合せにより信号Ｓ１１が記録されている。信号Ｓ１１は３値情報のうちのデータ「−１」を表す。具体的には、ランドアドレスエリアには、内周側の隣接グルーブエリアのデータ「−１」と外周側の隣接グルーブエリアのデータ「−１」との組み合わせにより、データ「−１」が記録されている。このランドアドレスエリアに記録されたデータ「−１」は、再生装置側でランドアドレス情報「０」に変換される。なお、図１０Ａにおいて、信号Ｓ０は、基本ウォブル信号を示している。
【００４５】
信号Ｓ１１がランドアドレスエリアに記録されている場合には、再生装置は、例えば以下のようにしてランドアドレス情報をデコードする。まず、ランドアドレスエリアに記録された信号Ｓ１１を読み取り、その信号Ｓ１１から３値情報「−１」を復号する。次に、復号した３値情報「−１」をランドアドレス情報「０」に変換する。
【００４６】
図１０Ｂは、ＳＴＷ信号の第２の組合せを示す略線図である。ランドアドレスエリアの内周側の隣接グルーブエリアには、正の極性を有するＳＴＷ信号Ｓ２が記録されている。一方、ランドアドレスエリアの外周側の隣接グルーブエリアには、正の極性を有するＳＴＷ信号Ｓ２が記録されている。この場合には、ランドアドレスエリアには、内周側の隣接グルーブエリアのＳＴＷ信号Ｓ２と外周側の隣接グルーブエリアのＳＴＷ信号Ｓ２との組合せにより信号Ｓ２２が記録されている。信号Ｓ２２は３値情報のうちのデータ「＋１」を表す。具体的には、ランドアドレスエリアには、内周側の隣接グルーブエリアのデータ「＋１」と外周側の隣接グルーブエリアのデータ「＋１」との組み合わせにより、データ「＋１」が記録されている。このランドアドレスエリアに記録されたデータ「＋１」は、再生装置側でランドアドレス情報「０」に変換される。なお、図１０Ｂにおいて、信号Ｓ０は、基本ウォブル信号を示している。
【００４７】
信号Ｓ２２がランドアドレスエリアに記録されている場合には、再生装置は、例えば以下のようにしてランドアドレス情報をデコードする。まず、ランドアドレスエリアに記録された信号Ｓ２２を読み取り、その信号Ｓ２２から３値情報「＋１」を復号する。次に、復号した３値情報「＋１」をランドアドレス情報「０」に変換する。
【００４８】
図１１Ａは、ＳＴＷ信号の第３の組合せを示す略線図である。ランドアドレスエリアの内周側の隣接グルーブエリアには、負の極性を有するＳＴＷ信号Ｓ１が記録されている。一方、ランドアドレスエリアの外周側の隣接グルーブエリアには、正の極性を有するＳＴＷ信号Ｓ２が記録されている。この場合には、ランドアドレスエリアには、内周側の隣接グルーブエリアのＳＴＷ信号Ｓ１と外周側の隣接グルーブエリアのＳＴＷ信号Ｓ２との組合せにより信号Ｓ１２が記録されている。信号Ｓ１２は３値情報のうちのデータ「０」を表す。具体的には、ランドアドレスエリアには、内周側の隣接グルーブエリアのデータ「−１」と外周側の隣接グルーブエリアのデータ「＋１」との組み合わせにより、データ「０」が記録されている。このランドアドレスエリアに記録されたデータ「０」は、再生装置側でランドアドレス情報「１」に変換される。なお、図１１Ａにおいて、信号Ｓ０は、基本ウォブル信号を示している。
【００４９】
信号Ｓ１２がランドアドレスエリアに記録されている場合には、再生装置は、例えば以下のようにしてランドアドレス情報をデコードする。まず、ランドアドレスエリアに記録された信号Ｓ１２を読み取り、その信号Ｓ１２から３値情報「０」を復号する。次に、復号した３値情報「０」をランドアドレス情報「１」に変換する。
【００５０】
図１１Ｂは、ＳＴＷ信号の第４の組合せを示す略線図である。ランドアドレスエリアの内周側の隣接グルーブエリアには、正の極性を有するＳＴＷ信号Ｓ２が記録されている。一方、ランドアドレスエリアの外周側の隣接グルーブエリアには、負の極性を有するＳＴＷ信号Ｓ１が記録されている。この場合には、ランドアドレスエリアには、内周側の隣接グルーブエリアのＳＴＷ信号Ｓ２と外周側の隣接グルーブエリアのＳＴＷ信号Ｓ１との組合せにより信号Ｓ２１が記録されている。波形Ｓ２１は３値情報のうちのデータ「０」を表す。具体的には、ランドアドレスエリアには、内周側の隣接グルーブエリアのデータ「＋１」と外周側の隣接グルーブエリアのデータ「−１」との組み合わせにより、データ「０」が記録されている。このランドアドレスエリアに記録されたデータ「０」は、再生装置側でランドアドレス情報「１」に変換される。なお、図１１Ｂにおいて、信号Ｓ０は、基本ウォブル信号を示している。
【００５１】
信号Ｓ２１がランドアドレスエリアに記録されている場合には、再生装置は、例えば以下のようにしてランドアドレス情報をデコードする。まず、ランドアドレスエリアに記録された信号Ｓ２１を読み取り、その信号Ｓ２１から３値情報「０」を復号する。次に、復号した３値情報「０」をランドアドレス情報「１」に変換する。
【００５２】
（アドレスエリアの一例）
図１２は、グルーブアドレスエリアおよびランドアドレスエリアの一例を示す略線図である。グルーブＧ［ｎ］のグルーブアドレスエリアには、グルーブアドレス情報が記録されている。一方、ランドＬ［ｎ］のランドアドレスエリアには、ランドＬ［ｎ］に隣接する両側のグルーブＧ［ｎ］、Ｇ［ｎ＋１］のデータの組み合わせによりランドアドレス情報が記録されている。
【００５３】
（アドレス情報の記録方法）
図１３は、アドレス情報の記録方法の一例を説明するための略線図である。グルーブＧ［ｎ］のグルーブアドレスエリアには、２値情報「−１」、「＋１」に変換されたグルーブアドレス情報が、ＳＴＷとして記録される。
【００５４】
ＳＴＷとして記録する際には、グルーブアドレス情報は、例えば以下に示すように２値情報に変換される。
グルーブアドレス情報「０」→２値情報「−１」
グルーブアドレス情報「１」→２値情報「＋１」
【００５５】
ランドＬ［ｎ］のランドアドレスエリアには、ランドアドレス情報が、ランドＬ［ｎ］に隣接する両側のグルーブＧ［ｎ］、Ｇ［ｎ＋１］のＳＴＷの極性の組み合わせにより記録される。例えば、ランドＬ［ｎ］のランドアドレスエリアにランドアドレス情報「０」を記録する場合には、ランドＬ［ｎ］に隣接するグルーブＧ［ｎ］とグルーブＧ［ｎ＋１］とに同一極性のＳＴＷ（データ）を記録する。ランドＬ［ｎ］のランドアドレスエリアにランドアドレス情報「１」を記録する場合には、ランドＬ［ｎ］に隣接するグルーブＧ［ｎ］とグルーブＧ［ｎ＋１］とに逆極性のＳＴＷ（データ）を記録する。
【００５６】
ランドアドレス情報と、隣接グルーブに記録されるＳＴＷ（データ）の極性との関係を以下に示す。
ランドアドレス情報「０」→ＳＴＷの極性の組み合わせ「−１、−１」、「＋１、＋１」
ランドアドレス情報「１」→ＳＴＷの極性の組み合わせ「＋１、−１」、「−１、＋１」
【００５７】
（アドレス情報の再生方法）
図１４は、アドレス情報の再生方法の一例を説明するための略線図である。グルーブＧ［ｎ］の再生時には、グルーブアドレスエリアおよびランドアドレスエリアの両方のグルーブＧ［ｎ］からＳＴＷ信号が読み出され、２値情報「−１」、「＋１」に復号される。そして、この復号された２値情報「−１」、「＋１」は、例えば以下のようにグルーブアドレス情報に変換される。
２値情報「−１」→グルーブアドレス情報「０」
２値情報「＋１」→グルーブアドレス情報「１」
【００５８】
グルーブアドレスエリアのグルーブＧ［ｎ］から読み出され変換されたグルーブアドレス情報は、有効なグルーブアドレス情報として判断され、グルーブアドレス情報として用いられる。一方、ランドアドレスエリアのグルーブＧ［ｎ］から読み出され変換されたグルーブアドレス情報は、無効なグルーブアドレス情報として判断され、無効データとして取り扱われる。グルーブアドレス情報が有効なものであるか否かは、例えば、読み出された前後のグルーブアドレス情報との連続性を確認することにより判断される。
【００５９】
ランドＬ［ｎ］の再生時には、グルーブアドレスエリアおよびランドアドレスエリアの両方のランドＬ［ｎ］から３値情報「−１」、「０」、「＋１」が読み出される。具体的には、ランドＬ［ｎ］の両側の隣接グルーブＧ［ｎ］、Ｇ［ｎ＋１］に同一極性のＳＴＷ信号（すなわち同一極性のデータ）が記録されている場合には、３値情報のうちのデータ「−１」または「＋１」が読み出される。一方、ランドＬ［ｎ］の両側の隣接グルーブＧ［ｎ］、Ｇ［ｎ＋１］に逆極性のＳＴＷ信号（すなわち逆極性のデータ）が記録されている場合には、３値情報のうちの「０」が読み出される。
【００６０】
グルーブアドレスエリアおよびランドアドレスエリアのランドＬ［ｎ］から読み出された３値情報「−１」、「０」、「＋１」は、例えば以下のようにランドアドレス情報に変換される。
３値情報「−１」→ランドアドレス情報「０」
３値情報「＋１」→ランドブアドレス情報「０」
３値情報「０」→ランドアドレス情報「１」
【００６１】
ランドアドレスエリアのグルーブＬ［ｎ］から読み出され変換されたランドアドレス情報は、有効なランドアドレス情報として判断され、ランドアドレス情報として用いられる。一方、グルーブアドレスエリアのグルーブＬ［ｎ］から読み出され変換されたランドアドレス情報は、無効なランドアドレス情報として判断され、無効データとして取り扱われる。ランドアドレス情報が有効なものであるか否かは、例えば、読み出された前後のランドアドレス情報との連続性を確認することにより判断される。
【００６２】
（アドレスエリアの配置）
図１５は、グルーブアドレスエリアとランドアドレスエリアとの配置の一例を示す略線図である。１ＲＵＢ毎に３個のＡＤＩＰワードが割り当てられている。なお、１ＲＵＢ毎に割り当てられるＡＤＩＰワードの個数はこの例に限定されるものではなく、３個以外の所定の個数に設定することも可能である。
【００６３】
ＡＤＩＰワードに含まれるグルーブアドレスエリアおよびランドアドレスエリアが、光情報記録媒体１の周方向に交互に設けられている。具体的には、光情報記録媒体１の周方向には、有効なグルーブアドレスエリアおよび無効なグルーブアドレスエリアがＡＤＩＰワード単位で交互に設けられると共に、有効なランドアドレスエリアおよび無効なランドアドレスエリアがＡＤＩＰワード単位で交互に設けられている。一方、光情報記録媒体１の径方向には、有効なグルーブアドレスエリアおよび無効なランドアドレスエリアが交互に設けられると共に、有効なランドアドレスエリアおよび無効なグルーブアドレスエリアが交互に設けられている。なお、アドレスエリアの配置はこの例に限定されるものではない。例えば、光情報記録媒体１の周方向には、有効なグルーブアドレスエリアおよび無効なグルーブアドレスエリアをＲＵＢ単位で交互に設けると共に、有効なランドアドレスエリアおよび無効なランドアドレスエリアをＲＵＢ単位で交互に設けるとことも可能である。
ここで、有効なグルーブアドレスエリア、有効なランドアドレスエリアとはそれぞれ、有効なグルーブアドレス情報が記録されたエリア、有効なランドアドレス情報が記録されたエリアを意味する。一方、無効なグルーブアドレスエリア、無効なランドアドレスエリアとはそれぞれ、無効なグルーブアドレス情報が記録されたエリア、無効なランドアドレス情報が記録されたエリアを意味する。
【００６４】
［４．再生装置の構成］
図１６は、本技術の一実施形態に係る再生装置の構成の一例を示すブロック図である。グルーブアドレス情報およびランドアドレス情報が記録されている光情報記録媒体１に対してデータが記録され、光情報記録媒体１からデータが再生される。
【００６５】
光情報記録媒体１がスピンドルモータ２によって角速度一定で回転される。すなわち、光情報記録媒体１がＣＡＶ方式で回転される。ゾーンＣＡＶ方式を使用しても良い。光学ヘッド３に対してレーザ駆動部４からの駆動信号が供給され、記録データ５に応じて強度が変調されたレーザビームが光学ヘッド３から光情報記録媒体１に対して照射され、再生されたアドレス情報に基づいて決定された光情報記録媒体１の所定の位置にデータが記録される。
【００６６】
光情報記録媒体１に対して光学ヘッド３からの読み取りレーザビームが照射され、その反射光が光学ヘッド３内のフォトディテクタによって検出され、信号検出部６によって再生信号が検出される。信号検出部６からは、再生信号７、フォーカスエラー信号、トラッキングエラー信号などのサーボエラー信号８、並びにウォブル信号９が取り出される。ウォブル信号９は、トラック方向で光検出素子が２分割された検出器の出力信号である。例えば二つの検出器の和の信号がウォブル信号９として取り出される。ウォブル信号９は、ウォブル波形に応じたものとなる。トラックの両側のウォブルが同一位相の場合に、ウォブル信号９のレベルが最大となり、両側のウォブルが逆位相の場合に、ウォブル信号９のレベルが最小となる。
【００６７】
エラー信号８がサーボ回路１０に供給される。サーボ回路１０によってスピンドルモータ２の回転が角速度一定に制御され、光学ヘッド３のフォーカスおよびトラッキングが制御される。
【００６８】
信号検出部６により検出されたウォブル信号９がＡ／Ｄコンバータ１１に供給され、Ａ／Ｄコンバータ１１によってデジタル信号に変換される。Ａ／Ｄコンバータ１１の出力信号がデジタルＰＬＬ（Phase Locked Loop ）１２に供給され、デジタルＰＬＬ１２において、クロック抽出とＭＳＫおよびＳＴＷパルス抽出が行われる。抽出されたＭＳＫおよびＳＴＷパルスなどのデジタル信号は、ＡＤＩＰデコーダ１３に供給される。
【００６９】
ＡＤＩＰデコーダ１３は、デジタルＰＬＬ１２から供給されるデジタル信号を用いて、ＡＤＩＰワード毎にＭＳＫおよびＳＴＷとして記録されているアドレス情報などを復号し、エラー訂正を行う。ＡＤＩＰデコーダ１３により復号されたアドレス情報が有効性判定部１４に供給される。グルーブトラックを走査している場合には、グルーブアドレス情報が出力として取り出される。ランドアドレスを走査している場合には、ランドアドレス情報が出力として取り出される。
【００７０】
なお、グルーブおよびランドのいずれを走査しているかは、例えば、サーボ信号などに基づき判断できる。サーボ信号による判断ができない系においては、アドレス情報を正しくデコードできたデコーダの出力をアドレスと見なすようにしてもよい。
【００７１】
有効性判定部１４は、ＡＤＩＰデコーダ１３から供給されるアドレス情報の有効性を判定し、有効と判定されたアドレス情報のみを出力する。例えば、グルーブトラックを走査している場合には、有効性判定部１４は、ＡＤＩＰデコーダ１３から供給されるグルーブアドレス情報の有効性を判定し、有効であると判定したグルーブアドレス情報のみを出力する。ここで、グルーブアドレス情報の有効性は、例えば、前後に読み出されたグルーブアドレス情報との連続性により判定される。一方、ランドトラックを走査している場合には、有効性判定部１４は、ＡＤＩＰデコーダ１３から供給されるランドアドレス情報の有効性を判定し、有効であると判定したランドアドレス情報のみを出力する。ここで、ランドアドレス情報の有効性は、例えば、前後に読み出されたランドアドレス情報との連続性により判定される。
なお、グルーブアドレス情報およびランドアドレス情報の有効性の判定方法は上記の例に限定されるものではなく、誤り訂正回路を通過できるか否かで判定する方法や、同期（Sync）の入れ方をランドとグルーブとで変えることで判定する方法などが挙げられる。
【００７２】
図１７は、ＡＤＩＰデコーダの構成の一例を示すブロック図である。ＡＤＩＰデコーダ１３は、積分器２１、信号加算器２２、検出器２３および変換器２４を備える。ここでは、ＡＤＩＰデコーダのうち、ＳＴＷ信号として記録されたアドレス情報のデコードに関する部分のみについて説明する。
【００７３】
積分器２１は、ＳＴＷ信号を１ウォブル周期分だけ積分し、その積分結果を信号加算器２２に供給する。より具体的には、積分器２１は、ＳＴＷ信号の波形Ｓ１から波形Ｓ３を生成し、それを１ウォブル周期分だけ積分（図６Ａ、図６Ｂ参照）するか、もしくはＳＴＷ信号の波形Ｓ２から波形Ｓ４を生成し、それを１ウォブル周期分だけ積分（図７Ａ、図７Ｂ参照）する処理を行う。そして、積分器２１は、その積分結果を信号加算器２２に供給する。なお、波形Ｓ１およびＳ２からそれぞれ波形Ｓ３およびＳ４を生成する具体的な方法は、図６Ａ〜図７Ｂを参照して上述した通りである。信号加算器２２は、積分器２１から供給される積分結果（１ウォブル周期分だけの積分結果）を、所定ウォブル数分（例えば３７ウォブル周期分）だけ加算し、加算結果を検出器２３に供給する。
【００７４】
検出器２３は、グルーブトラック再生時には、信号加算器２２から供給される加算結果を１つのしきい値と比較することにより、２値情報に復号する。具体的には、信号加算器２２から供給される加算結果ΣＳｎをしきい値αと比較し、比較結果に基づき２値情報に復号する。
【００７５】
以下に２値情報の復号例を示す。
「しきい値α＜加算結果ΣＳｎ」→２値情報「＋１」
「加算結果ΣＳｎ≦しきい値α」→２値情報「−１」
【００７６】
検出器２３は、ランドトラック再生時には、信号加算器２２から供給される加算結果を２つのしきい値と比較することにより、３値情報に復号する。具体的には、信号加算器２２から供給される加算結果ΣＳｎを第１のしきい値β１および第２のしきい値β２の２つのしきい値と比較し、比較結果に基づき３値情報に復号する。
【００７７】
以下に３値情報の復号例を示す。
「第１のしきい値β１＜加算結果ΣＳｎ」→３値情報「＋１」
「第２のしきい値β２≦加算結果ΣＳｎ≦第１のしきい値β１」→３値情報「０」
「第２のしきい値β２＞加算結果ΣＳｎ」→３値情報「−１」
なお、しきい値α、β１およびβ２は、全て異なる値に設定される。
【００７８】
変換器２４は、グルーブトラック再生時には、検出器２３から供給された２値情報「＋１」、「−１」をグルーブアドレス情報「１」、「０」に変換する。また、変換器２４は、ランドトラック再生時には、検出器２３から供給された３値情報「＋１」、「０」、「−１」をランドトラックアドレス情報「１」、「０」に変換する。
【００７９】
以下に、グルーブトラック再生時における２値情報からグルーブアドレス情報への変換例を示す。
２値情報「＋１」→グルーブアドレス情報「１」
２値情報「−１」→グルーブアドレス情報「０」
【００８０】
以下に、ランドトラック再生時における３値情報からランドアドレス情報への変換例を示す。
３値情報「＋１」→ランドアドレス情報「０」
３値情報「０」→ランドアドレス情報「１」
３値情報「−１」→ランドアドレス情報「０」
【００８１】
［５．再生装置の動作］
以下、本技術の第１の実施形態に係る再生装置の動作として、グルーブトラック再生時のアドレスデコード処理およびランドトラック再生時のアドレスデコード処理について説明する。
【００８２】
（グルーブトラック再生時のアドレスデコード処理）
図１８は、グルーブトラック再生時のアドレスデコード処理の一例を説明するためのフローチャートである。まず、ステップＳ１０１において、信号加算器２２は、積分器２１から供給される積分結果（１ウォブル周期分だけの積分結果）を、所定ウォブル数分（例えば３７ウォブル周期分）だけ加算し、加算結果ΣＳｎを検出器２３に供給する。
【００８３】
次に、ステップＳ１０２において、検出器２３は、信号加算器２２から供給された加算結果ΣＳｎがしきい値αより大きいか否かを判断する。ステップＳ１０２にて加算結果ΣＳｎがしきい値αより大きいと判断された場合には、ステップＳ１０３において、検出器２３は、加算結果ΣＳｎを２値情報「＋１」に復号し、復号結果である２値情報「＋１」を変換器２４に供給する。次に、ステップＳ１０４において、変換器２４は、検出器２３から供給された２値情報「＋１」をグルーブアドレス情報「１」に変換する。一方、ステップＳ１０２にて加算結果ΣＳｎがしきい値α以下であると判断された場合には、ステップＳ１０５において、検出器２３は、加算結果ΣＳｎを２値情報「−１」に復号し、復号結果である２値情報「−１」を変換器２４に供給する。次に、ステップＳ１０６において、変換器２４は、検出器２３から供給された２値情報「−１」をグルーブアドレス情報「０」に変換する。
【００８４】
（ランドトラック再生時のアドレスデコード処理）
図１９は、ランドトラック再生時のアドレスデコード処理の一例を説明するためのフローチャートである。まず、ステップＳ２０１において、信号加算器２２は、積分器２１から供給される積分結果（１ウォブル周期分だけの積分結果）を、所定ウォブル数分（例えば３７ウォブル周期分）だけ加算し、加算結果ΣＳｎを検出器２３に供給する。
【００８５】
次に、ステップＳ２０２において、検出器２３は、信号加算器２２から供給された加算結果ΣＳｎが第１のしきい値β１より大きいか否かを判断する。ステップＳ２０２にて加算結果ΣＳｎが第１のしきい値β１より大きいと判断された場合には、ステップＳ２０３において、検出器２３は、加算結果ΣＳｎを３値情報「＋１」に復号し、復号結果である３値情報「＋１」を変換器２４に供給する。次に、ステップＳ２０４において、変換器２４は、検出器２３から供給された３値情報「＋１」をランドアドレス情報「０」に変換する。
【００８６】
ステップＳ２０２にて加算結果ΣＳｎが第１のしきい値β１以下であると判断された場合には、ステップＳ２０５において、検出器２３は、信号加算器２２から供給された加算結果ΣＳｎが第２のしきい値β２より小さいか否かを判断する。
【００８７】
ステップＳ２０５にて加算結果ΣＳｎが第２のしきい値β２より小さいと判断された場合には、ステップＳ２０６において、検出器２３は、加算結果ΣＳｎを３値情報「−１」に復号し、復号結果である３値情報「−１」を変換器２４に供給する。次に、ステップＳ２０７において、変換器２４は、検出器２３から供給された３値情報「−１」をランドアドレス情報「０」に変換する。
【００８８】
ステップＳ２０５にて加算結果ΣＳｎが第２のしきい値β２以上であると判断された場合には、ステップＳ２０８において、検出器２３は、加算結果ΣＳｎを３値情報「０」に復号し、復号結果である３値情報「０」を変換器２４に供給する。次に、ステップＳ２０７において、変換器２４は、検出器２３から供給された３値情報「０」をランドアドレス情報「１」に変換する。
【００８９】
（効果）
以上説明したように、本技術の一実施形態によれば、グルーブアドレス情報およびランドアドレス情報をグルーブのＳＴＷにより記録することができる。したがって、マスタリングの際には、１ビーム露光によりグルーブアドレス情報およびランドアドレス情報の両方を記録することができる。また、アドレス情報をプリフォーマットピットとして記録せずに済むため、ユーザデータなどの記録用データ領域の減少を抑制して効率的にアドレス情報を記録することができる。
【００９０】
ランドアドレスエリアの両側に隣接して設けられたグルーブのウォブル極性の組み合わせにより、ランドアドレス情報を記録することができる。したがって、グルーブの変調のみでランドアドレス情報を記録することができる。また、局所的な欠陥の影響を受けにくい。さらに、１ビームのマスタリング装置を用いてマスタの作製が可能である。
【００９１】
［６．変形例］
図２０は、ＡＤＩＰデコーダの変形例を示すブロック図である。ＡＤＩＰデコーダとして、図１７に示したＡＤＩＰデコーダ１３に代えて、図２０に示したＡＤＩＰデコーダ３０を用いるようにしてもよい。図２０に示すように、ＡＤＩＰデコーダ３０は、積分器３１、検出器３２および変換器３３を備える。
【００９２】
積分器３１は、所定のウォブル数分だけ継続的にＳＴＷ信号を積分し、その積分結果を検出器３２に供給する。例えば、ＳＴＷ変調されている１８から５４までの３７ウォブル（図３参照）の間連続的に動作し、その積分結果を検出器３２に供給する。
【００９３】
検出器３２は、グルーブトラック再生時には、積分器３１から供給される積分結果を１つのしきい値と比較することにより、２値情報に復号する。具体的には、積分器３１から供給される積分値Ｓをしきい値γと比較し、比較結果に基づき２値情報に復号する。
【００９４】
以下に２値情報の復号例を示す。
「しきい値γ＜積分値Ｓ」→２値情報「＋１」
「積分値Ｓ≦しきい値γ」→２値情報「−１」
【００９５】
検出器３２は、ランドトラック再生時には、積分器３１から供給される積分結果を２つのしきい値と比較することにより、３値情報に復号する。具体的には、積分器３１から供給される積分値Ｓを第１のしきい値σ１および第２のしきい値σ２の２つのしきい値と比較し、比較結果に基づき３値情報に復号する。
【００９６】
以下に３値情報の復号例を示す。
「第１のしきい値σ１＜加算結果Ｓ」→３値情報「＋１」
「第２のしきい値σ２≦加算結果Ｓ≦第１のしきい値σ１」→３値情報「０」
「第２のしきい値σ２＞加算結果Ｓ」→３値情報「−１」
なお、しきい値γ、σ１およびσ２は、全て異なる値に設定される。
【００９７】
変換器３３は、上述の第１の実施形態の変換器２４と同様である。
【００９８】
以上、本技術の実施形態について具体的に説明したが、本技術は、上述の実施形態に限定されるものではなく、本技術の技術的思想に基づく各種の変形が可能である。
【００９９】
例えば、上述の実施形態において挙げた構成、方法、形状および数値などはあくまでも例に過ぎず、必要に応じてこれと異なる構成、方法、形状および数値などを用いてもよい。
【０１００】
また、上述の実施形態の構成、方法、形状および数値などは、本技術の主旨を逸脱しない限り、互いに組み合わせることが可能である。
【０１０１】
また、本技術は以下の構成を採用することもできる。
（１）
交互に設けられたグルーブおよびランドを有し、
上記グルーブのアドレス情報は、該グルーブのウォブルにより記録され、
上記ランドのアドレス情報は、該ランドの両側に設けられたグルーブのウォブルの組み合わせにより記録されている光情報記録媒体。
（２）
上記ウォブルの組合せは、上記ウォブルの極性の組み合わせである（１）に記載の光情報記録媒体。
（３）
上記ランドのアドレス情報は、上記ウォブルの極性の組み合わせにより３値情報として記録されている（２）に記載の光情報記録媒体。
（４）
上記ウォブルは、第１ウォブルと第２ウォブルとを有し、
上記ウォブルの組み合わせは、上記第１ウォブルと上記第２ウォブルとの組み合わせである（１）に記載の光情報記録媒体。
（５）
上記第１ウォブルは、正の極性を有し、
上記第２ウォブルは、負の極性を有する（４）に記載の光情報記録媒体。
（６）
上記第１ウォブルは、基準ウォブルに対して第１方向に傾いており、
上記第２ウォブルは、基準ウォブルに対して上記第１方向とは反対となる第２方向に傾いている（４）または（５）に記載の光情報記録媒体。
（７）
上記ランドの両側に設けられたグルーブのウォブルは、同位相またはほぼ同位相である（１）から（６）のいずれかに記載の光情報記録媒体。
（８）
上記グルーブは、該グルーブのアドレス情報が記録された第１領域と、該グルーブのアドレス情報が記録されていない第２領域とを有し、
上記ランドは、該ランドのアドレス情報が記録された第１領域と、該ランドのアドレス情報が記録されていない第２領域とを有し、
上記グルーブの第１領域と上記ランドの第２領域とが隣接して設けられると共に、上記グルーブの第２領域と上記ランドの第１領域とが隣接して設けられている（１）から（７）のいずれかに記載の光情報記録媒体。
（９）
光情報記録媒体のランドまたはグルーブに対して光を照射することにより反射光を得る光学部と、
上記光学部により得られた反射光に基づき、上記ランドの両側に設けられたグルーブのウォブルの組み合わせにより記録されているアドレス信号を生成するアドレス信号生成部と、
上記アドレス信号生成部により生成されたアドレス信号からランドアドレス情報を取得するアドレス情報取得部と
を備える再生装置。
（１０）
上記アドレス情報取得部は、上記アドレス信号を２つのしきい値と比較することにより３値情報を生成し、生成した３値情報をランドアドレス情報に変換する（９）に記載の再生装置。
【符号の説明】
【０１０２】
１    光情報記録媒体
２    スピンドルモータ
３    光学ヘッド
４    レーザ駆動部
５    記録データ
６    信号検出部
７    再生信号
８、９    ウォブル信号
１１    Ａ／Ｄコンバータ
１２    ＰＬＬ
１３    ＡＤＩＰデコーダ
１４    有効性判定部
１５    演算器
１６    積分器
１７、１８    加算器
２１    信号加算器
２２    検出器
２３    変換器
【図１】
2014002808.tif 000003
【図２】
2014002808.tif 000004
【図３】
2014002808.tif 000005
【図４】
2014002808.tif 000006
【図５】
2014002808.tif 000007
【図６】
2014002808.tif 000008
【図７】
2014002808.tif 000009
【図８】
2014002808.tif 000010
【図９】
2014002808.tif 000011
【図１０】
2014002808.tif 000012
【図１１】
2014002808.tif 000013
【図１２】
2014002808.tif 000014
【図１３】
2014002808.tif 000015
【図１４】
2014002808.tif 000016
【図１５】
2014002808.tif 000017
【図１６】
2014002808.tif 000018
【図１７】
2014002808.tif 000019
【図１８】
2014002808.tif 000020
【図１９】
2014002808.tif 000021
【図２０】
2014002808.tif 000022